(57)【要約】【課題】Ｏリングの噛み込みが生じにくくて組立性が良いものとする。【解決手段】流路の切換用の弁部１と、濾過部材を備えた濾過部２とをつなぐ複数の管路３１，３２を具備して、平行に並んでいるこれら管路３１，３２が、弁部側管路３１ａ，３２と濾過部側管路３１ｂ，３２ｂとに分離されているとともに弁部側管路と濾過部側管路とのＯリングを介した嵌め込み接続で各々連結されている。嵌め込み接続部における一方の管路に対する他方の管路の嵌め込み長さＬ１，Ｌ２が上記複数の管路３１，３２で異なっている。管路を接続して組み立てるにあたり、Ｏリングが嵌め込まれるタイミングにずれが生じるようにしたものである。【選択図】  図１
2004237194.tif 000002
【特許請求の範囲】
【請求項１】
流路の切換用の弁部と、濾過部材を備えた濾過部とをつなぐ複数の管路を具備して、平行に並んでいるこれら管路が、弁部側管路と濾過部側管路とに分離されているとともに弁部側管路と濾過部側管路とのＯリングを介した嵌め込み接続で各々連結されている浄水器であり、嵌め込み接続部における一方の管路に対する他方の管路の嵌め込み長さが上記複数の管路で異なっていることを特徴とする浄水器。
【請求項２】
流路の切替用の弁部に設けられた複数の吐出口が下部カバーに形成された複数の吐水口に個別に接続されているとともに、平行に並んでいるこれら接続部が夫々一方に対する他方のＯリングを介した嵌め込みで各々連結されている浄水器であり、上記接続部は一方に対する他方の嵌め込み長さが複数の接続部で異なっていることを特徴とする浄水器。
【請求項３】
弁部の下面中央に位置する吐出口と、この吐出口に接続される吐水口との接続部における嵌め込み長さのみが他の接続部の嵌め込み長さと異なっていることを特徴とする請求項２記載の浄水器。
【発明の詳細な説明】
【０００１】
【発明の属する技術分野】
本発明は浄水器、殊にその組立構造に関するものである。
【０００２】
【従来の技術】
浄水器においてはその内部に複数の流路を備えて、これら流路で水の流れを切り換える弁部と濾過部材を備えた濾過部とを接続したりしているが、これら流路を管の嵌め込み接続で形成する場合、図７に示すように、複数の流路３１，３２を平行に配置すると、これら流路を形成する管の嵌め込み接続を同時に行うことができることになって組立性が良くなる。
【０００３】
【特許文献１】
特開２００２−１２６７２６号公報
【０００４】
【発明が解決しようとする課題】
しかし、管の接続部には防水の点からＯリング３３を装着しておくことになるが、複数の管を同時に嵌め込み接続すると、各管に配したＯリングを同時に他の管内に嵌め込むことになり、このために管路の芯ずれや傾き等のためにＯリングが噛み込みやすく、却って組立性が悪くなる。
【０００５】
本発明はこのような点に鑑みなされたものであって、その目的とするところはＯリングの噛み込みが生じにくくて組立性が良い浄水器を提供するにある。
【０００６】
【課題を解決するための手段】
しかして本発明は、流路の切換用の弁部と、濾過部材を備えた濾過部とをつなぐ複数の管路を具備して、平行に並んでいるこれら管路が、弁部側管路と濾過部側管路とに分離されているとともに弁部側管路と濾過部側管路とのＯリングを介した嵌め込み接続で各々連結されている浄水器であり、嵌め込み接続部における一方の管路に対する他方の管路の嵌め込み長さが上記複数の管路で異なっていることに特徴を有している。管路を接続して組み立てるにあたり、Ｏリングが嵌め込まれるタイミングにずれが生じるようにしたものである。
【０００７】
また、本発明は流路の切替用の弁部に設けられた複数の吐出口が下部カバーに形成された複数の吐水口に個別に接続されているとともに、平行に並んでいるこれら接続部が夫々一方に対する他方のＯリングを介した嵌め込みで各々連結されている浄水器であり、上記接続部は一方に対する他方の嵌め込み長さが複数の接続部で異なっていることに他の特徴を有している。複数の接続部の嵌め込み接続に際してＯリングが嵌め込まれるタイミングにずれが生じるようにしたものである。
【０００８】
接続部が３つ以上ある場合、弁部の下面中央に位置する吐出口と、この吐出口に接続される吐水口との接続部における嵌め込み長さのみが他の接続部の嵌め込み長さと異なっていてもよい。
【０００９】
【発明の実施の形態】
以下本発明を実施の形態の一例に基づいて詳述すると、図２に示す浄水器は、水栓への取付用の取付部１０を上面に備えるとともに両側面に切換レバー１１，１１が配されている弁部１の後方に濾過部２を配したもので、上記弁部１は、その切換レバー１１の操作により、上記取付部１０から流入する原水を下面中央に位置する吐水口１７に直接流す状態と、同じく原水を下面に位置するシャワー用吐水口１６から吐出する状態と、取付部１０から流入した原水を濾過部２に送って濾過部２で濾過した後の浄水を浄水用吐水口１２から吐出する状態の３状態を切り換える。図中１３は切換状態を表示するための窓である。
【００１０】
濾過部２は上記弁部１と一体に構成されている保持部２０と、この保持部２０に連結される円筒状のカートリッジ３とからなるもので、濾過部材はカートリッジ３内に納められており、濾過部材の交換はこのカートリッジ３の取り換えによって行うものとなっている。図中５は上下に分割されているとともに弁部１と保持部２０との外面に跨って被せられた本体カバー、４はカートリッジ３の交換時期表示用の回転自在な表示体であり、交換時期を本体カバー５に設けた窓５０を通じて行う。
【００１１】
ここにおいて、上記弁部２と濾過部２の保持部２０とは、図１及び図３に示すように、弁部１から保持部２０を介してカートリッジ３に水を流入させるための第１管路３１と、カートリッジ３内の濾過部材で濾過された浄水を保持部２０を介して弁部１側に位置することになる上記浄水用吐水口１２まで導く第２管路３２とで接続されているのであるが、両管路３１，３２は平行となるように形成されているとともに、弁部１側の管路３１ａ，３２ａと、保持部２０側の管路３１ｂ、３２ｂとに夫々分割されていて、前者を後者に嵌め込むことで接続されるようになっている。
【００１２】
また、上記嵌め込み接続部には、漏水を防ぐためにＯリング３３が夫々配置されているのであるが、管路３２ｂにおける管路３２ａが嵌り込む嵌め込み長さＬ１を、管路３１ｂにおける管路３１ａが嵌り込む嵌め込み長さＬ２より長くしてあることから、上記接続時、図１（ｂ）に示すように、管路３２ａがまず管路３２ｂに差し込まれ、その後、管路３１ａが管路３１ｂに差し込まれる。従って、管路３１ａ，３２ａの外周に装着されて管路３１ｂ、３２ｂ内に嵌め込まれるＯリング３３，３３も、管路３２ａのＯリング３３が管路３２ｂに入った後、管路３１ａのＯリング３３が管路３１ｂに入る。
【００１３】
複数のＯリング３３が同時に嵌り込むことがなく、各Ｏリング３３を単独で嵌め込む場合と同じ状態を得ることができるものであり、芯ずれや傾きに起因するＯリング３３の噛み込みが生じにくいものである。
【００１４】
また、この浄水器では、図４〜図６に示すように、下部側の本体カバー５に前記吐水口１７とシャワー用吐水口１６と浄水用吐水口１２が形成されており、弁部１の下面中央に位置する吐出口１４が吐水口１７に嵌め込み接続され、弁部１の下面外周の接続口１９が本体カバー５におけるシャワー用吐水口１６の外周を囲む接続口５９に嵌め込み接続され、更に前記管路３２ａの他端が浄水用吐水口１２に嵌め込み接続されるようになっているのであるが、これら３つの嵌め込み接続部も平行に形成されているとともに、夫々Ｏリング３３で漏水が防止されており、また、嵌め込み接続に際しては、図６から明らかなように、中央に位置している吐出口１４と吐水口１７との嵌合が最初に行われ、続いて接続口１９と接続口５９との嵌合並びに管路３２ａと浄水用吐水口１２との嵌合がなされるように、吐出口１４が嵌り込む吐水口１７の嵌め込み長さと、接続口１９が嵌り込む接続口５９の嵌め込み長さと、管路３２ａが嵌り込む浄水用吐水口１２の嵌め込み長さを定めてある。
【００１５】
なお、各嵌め込み長さであるが、これはＯリング３３を基準に考えればよく、実際の嵌め込み長さが同じであっても、差し込まれる部材の外周に配されるＯリング３３の先端からの位置をずらすことによって、Ｏリング３３が嵌め込まれる長さが異なっておればよい。
【００１６】
【発明の効果】
以上のように本発明においては、管路同士の接続や吐出口と吐水口との接続などに際して複数の接続箇所を平行に配しているために、これら接続を一度に行うことができて組立性が良いものであり、しかも嵌め込み接続による嵌め込み長さが異なっているために、漏水防止用のＯリングが嵌め込まれるタイミングにずれが生じているものであり、このためにＯリングが芯ずれや傾きなどによる影響を受けて噛み込んでしまうということを避けることができ、この点からも良好な組立性を有するものである。
【図面の簡単な説明】
【図１】本発明の実施の形態の一例を示しており、（ａ）は破断側面図、（ｂ）は嵌め込み接続途中の状態を示す断面図である。
【図２】同上の斜視図である。
【図３】同上の弁部と保持部の分解斜視図である。
【図４】同上の横断面図である。
【図５】同上の弁部と本体カバーの分解斜視図である。
【図６】同上の嵌め込み接続途中の状態を示す横断面図である。
【図７】従来例の嵌め込み接続途中の状態を示す断面図である。
【符号の説明】
１  弁部
２  濾過部
３１  管路
３２  管路
３３  Ｏリング
Ｌ１  嵌め込み長さ
Ｌ２  嵌め込み長さ
【図１】
2004237194.tif 000003
【図２】
2004237194.tif 000004
【図３】
2004237194.tif 000005
【図４】
2004237194.tif 000006
【図５】
2004237194.tif 000007
【図６】
2004237194.tif 000008
【図７】
2004237194.tif 000009